(57)【要約】【解決手段】腰から少なくとも股下までを包むアンダーパンツ部３と、着用者の腰骨６より上方に密着して着用時のずれを防止している。係止部は、通常編組部１２と縦伸縮部１１が腰周り方向に連続的に形成されている。着用者の腰骨６より上のところで係止部２が密着する。【効果】高い伸縮性と密着性を有する係止部２が着用者の腰骨６より上方に密着し、腰周りを締め付ける。しかも、スポーツなどの激しい運動をすることにより、係止部２の下方に位置するアンダーパンツ部３が下方に引っ張られたとしても、上下方向に高い伸縮性を有する係止部が着用者の腰骨に引っ掛かるため、ずれを防止することができる。特に、係止部２の縦伸縮部１１が上下方向に高い伸縮性を有するため、上下方向の伸びがアンダーパンツ部３を引っ張る力を吸収するスプリング効果によって、着用時のずれを防止することができる。【選択図】　　図３
0003097770.tif 000002
【実用新案登録請求の範囲】
【請求項１】
腰から少なくとも股下までを含むアンダーパンツ部と、着用者の腰骨より上方に密着して着用時のずれを防止する係止部とを有するパンツであって、
アンダーパンツ部の上縁に係止部の下縁が縫着されており、係止部の伸縮性は上下方向に高い伸縮性を持たせつつ、それと直交する横方向への伸縮性を抑えていることを特徴とするパンツ。
【請求項２】
係止部による着用者の腰周りへの密着性はアンダーパンツ部に比して大であることを特徴とする請求項１に記載のパンツ。
【請求項３】
係止部は、通常の編成方法で形成された通常編組部と上下方向に高い伸縮性を有する編成方法で形成された縦伸縮部が腰周り方向に連続的になるよう形成されていることを特徴とする請求項１または２のいずれかに記載のパンツ。
【請求項４】
縦伸縮部は、ポリウレタンを芯としてその周囲を綿でカバーリングした原糸を用いており、この原糸を平編形式で編みつつ、その途中に穴部を形成したことを特徴とする請求項３に記載のパンツ。
【考案の詳細な説明】
【０００１】
【考案の属する技術分野】
本考案は下半身に着用するスウェットなどのパンツに関するものであって、さらに詳しくは、着用時から容易にずれないようにするための係止部を有するものに関する。
【０００２】
【従来の技術】
従来、スウェットやタイツなどのパンツがずれないようにするために、腰周りにゴムなどの締め付け手段を備えたものが多くあり、その他サスペンダーやベルトなどの係止手段を用いることもある。またその他には、特開２００２−２６６１１０号公報のように、身体と接触する部分の内側にシリコンバンドを接着する技術もある。
【０００３】
【考案が解決しようとする課題】
しかし、腰周りにゴムなどの締め付け手段を備えた従来のパンツでは、前かがみになったり激しい運動などをするとパンツがずれることが多かった。また、サスペンダーやベルト等を使用する場合には、パンツとは別のものを使用することによってずれを防止しようとするものであるから、パンツ自体でずれを防止することができず、簡単にずれ防止効果を発揮し得るものでなかった。
また、身体を接触する部分の内側にシリコンバンドを形成する技術についても、その内側にシリコンバンドを付着させねばならず、簡単な構成でずれないようにすることができなかった。
【０００４】
【課題を解決するための手段】
そこで、本考案では、腰から少なくとも股下までを含むアンダーパンツ部と、着用者の腰骨より上方に密着して着用時のずれを防止する係止部とを有するパンツであって、アンダーパンツ部の上縁に係止部の下縁が縫着されており、係止部の伸縮性は上下方向に高い伸縮性を持たせつつ、それと直交する横方向への伸縮性を抑えていることを特徴とするものである。
【０００５】
これにより、上下方向に比べて横方向への伸縮性が抑えたれた係止部が着用者の腰骨より上方で腰周りを締め付けることになり、しかも、例えば、前かがみになったり、スポーツなどの激しい運動をすることにより、係止部の下方に位置するアンダーパンツ部がたとえ下方向に引っ張られたとしても、上下方向に高い伸縮性を有する係止部が着用者の腰骨より上方で上下方向に伸びるとともに、腰骨に引っ掛かるために着用時のずれを防止することができる。
特に、係止部が上下方向に高い伸縮性を有するため、前かがみになったり、スポーツなどの激しい運動を行なっても、上下方向の伸びがアンダーパンツ部を下に引っ張る力を吸収するスプリング効果によって、着用時のずれを防止することができる。
【０００６】
また、係止部による着用者の腰周りへの密着性はアンダーパンツ部に比して大であることが好ましい。
これにより、このようにしておくと、係止部が着用者の腰骨より上方で腰周りをより強く締め付けることになるから、着用時のずれを一層防止することができる。
【０００７】
また、係止部は、通常の編成方法で形成された通常編組部と上下方向に高い伸縮性を有する編成方法で形成された縦伸縮部が腰周り方向に連続的になるよう形成されていることが好ましい。
この場合には、通常編組部が着用時の腰骨より上方で腰周りを適度の力で締め付けるとともに、縦伸縮部が着用時の腰骨より上方で上下方向に適度に伸びるため、着用時のずれをより一層防止することができる。
【０００８】
また、縦伸縮部は、ポリウレタンを芯としてその周囲を綿でカバーリングした原糸を用いており、この原糸を平編形式で編みつつ、その途中に穴部を形成したことが好ましい。
【０００９】
縦伸縮部に、ポリウレタンを芯として、その周囲を綿素材によりカバーリングした原糸が用いられているために、係止部が一層伸縮性や弾性に富むこととなり、アンダーパンツ部よりも伸縮性や弾性がより強くなる。
また、穴部を有することで、穴部が特に上下方向への高い伸縮を可能にするから、前かがみになったり、スポーツなどの激しい運動をした場合においても、縦伸縮部のこの伸びがアンダーパンツ部を下に引っ張る力を十分吸収し、着用時のずれを一層防止することができる。
【００１０】
【考案の実施の形態】
本考案の実施形態の一例を図面に即して説明する。
図１は本考案によるずれ防止機能を有するパンツの一例を示す全体斜視図、図２はその一部の拡大正面図、図３は着用した状態を示す斜視図である。図４は縦伸縮部の編み方の一例を示す正面図である。
【００１１】
ずれ防止機能を有するパンツ１は、係止部２とアンダーパンツ部３からなっている。図１に示すアンダーパンツ部３は、通常、タイツと呼ばれている綿で編成されたものであり、着用者の腰付近から足首付近までを包む形式のものである。アンダーパンツ部３の上縁に係止部２の下縁が縫着されている。係止部２は、着用者の腰骨より上方であって臍付近までの腰周りに密着させ得るだけの幅（上下方向）を有する。なお、この係止部２はアンダーパンツ部３とは別個に編成され、アンダーパンツ部３の上縁に係止部２の下縁が縫着されている。従って、このアンダーパンツ部３と係止部２との縫着部分には縫着線４が形成されている。
【００１２】
アンダーパンツ部３は通常のタイツにおける伸縮性と弾性とを有している。これは着用者の体の大きさや運動その他の場合の伸縮を考えて、一定の伸縮性と弾性とをもたせたものであって、通常、合成繊維や綿など一般的に使用される素材で編成されたものでよい。
タイツ形式のアンダーパンツ部３は、通常ズボンの下に保温着として被着されるため、着用者の腰や太ももなどの肌にある程度密着されるように形成されている。アンダーパンツ部３の裾部１０は糸がほつれてこないように折り返して縫着されている。
なお、ここには、裾部１０が着用者の足首付近まである形式のものを例示するが、膝下までを包む形式のものや股下から裾までの長さがもう少し短い形式のものにも適用できる。
【００１３】
係止部２は着用者５の腰周りに密着して、パンツ１の着用時のずれを防止するためのものである。
係止部２はアンダーパンツ部３より強い伸縮性、弾性を有するように編成されており、これにより着用者の腰周りにしっかりと密着させることができる。
係止部２は縦伸縮部１１と通常編成部１２により形成されている。
通常編組部１２は、通常の平編、天竺編と呼ばれる編み方により編成されている。一方、縦伸縮部１１はパンツ１の上下方向（縦方向）に高い（大きな）伸縮性を有するように形成されている。
【００１４】
係止部２における縦伸縮部１１の具体的構造について説明する。
係止部２の上下方向（縦方向）に高い伸縮性をもたせるために、係止部２は以下のように形成されている。ポリウレタンを芯としてその周囲を綿でカバーリングした原糸８を用いている。このような伸縮性や弾性に富む原糸８を係止部２に用いることによって、アンダーパンツ部３に比して伸縮性や弾性がより強くなる。そして、図４に示すように、この原糸８を平編形式で編みつつその途中に一定間隔をおいて、穴部９を形成する。穴部９を有するように編成されているために、横方向つまり図４におけるＣ方向に高い（大きな）伸縮性や弾性をもたせつつ、このＣ方向と直交する横方向への伸縮性を抑えることができる。このＣ方向は係止部２の上下方向（図１、図２の縦方向）であり、このＣ方向に高い（大きな）伸縮性や弾性を有することになるため、係止部２の伸縮性や弾性は上下方向（縦方向）に高い（大きな）ものとなる一方、それと直交する横方向への伸縮性は抑えられることとなる。
【００１５】
このように、アンダーパンツ部３よりも係止部２の密着性を大ならしめ、また、係止部２が上下方向（縦方向）に高い伸縮性や弾性をより強く有するものとすることにより、着用者が前かがみになったり、スポーツなどの激しい運動をした場合においても、係止部２の上下方向の伸びがアンダーパンツ部３を下に引っ張る力を十分吸収し、着用者のずれを一層防止することができる。
つまり、従来のタイツでは、一定の伸縮性や弾性を有するものの、着用者が前かがみになったり、脚部や腰部を激しく前後させるなど激しい運動をすると、タイツ自体の伸縮性や弾性が激しい運動による引っ張りに対応できず、その結果として腰付近からずれることが多かった。しかし、アンダーパンツ部３より強い腰周りへの伸縮弾性、弾性を有し、しかも、上下方向（縦方向）に強い伸縮性、弾性を有する係止部２により、着用者の腰周りにしっかりと密着させることができ、たとえ着用者が前かがみになったり、激しい運動をしたとしても、係止部２が着用者の腰骨より上方で腰周りに密着するとともに、上下方向（縦方向）への高い伸縮性と、それと直交する横方向への伸縮性が抑えられているために、着用時のずれを十分防止することができる。
【００１６】
図１、図２、図３に示すように、係止部２において縦伸縮部１１と通常編組部１２は、着用者５の腰周り方向、すなわち横方向に連続的に形成されている。図２では、正面からみて係止部２の前半分を約５分割し、左端と中央、右端と中央との間の部分にそれぞれ縦伸縮部１１が配設されている。図示しないが、係止部２の後半分も前半分と同じである。
このように縦伸縮部１１が形成されることにより、縦方向に高い伸縮性をもつ縦伸縮部１１と通常編組部１２が着用者５の腰周り方向に連続的に形成されることになるため、よりずれにくく、腰骨６にしっかりと引っ掛かって着用時のずれを防止することができる。
【００１７】
ここに例示したパンツ１では、着用時において、係止部２とアンダーパンツ部３とを縫着している縫着線４が着用者の腰骨６、６のすぐ上にくるようにしてある。着用状態を図３に示している。ここに、アンダーパンツ部３の股下位置から縫着線４までの垂直長さがほぼ１５センチメートルとなるようにしてある。これは、通常股下から１５センチメートル程上がったところに腰骨６、６がくるからである。図２において、長さＡが股下から縫着線４までの垂直距離であり、この長さＡをほぼ１５センチメートルの長さにするとよい。
【００１８】
そして、着用者５の腰骨６、６のすぐ上に係止部２がくるようにしてある。係止部２は上下方向に一定の幅を有しているが、この幅は少なくとも着用者の腰骨のすぐ上の位置から臍部７付近までかかるものであればよい。
なお、ここに示す係止部２の幅、つまり図２においてＢで示す長さは、約１１．５センチメートルであり、着用時の臍部分まで覆い隠すことができるような幅に形成されている。
係止部２の上縁部は糸がほつれたりしないように、折り返して縫着されている。
【００１９】
このように、着用者５の腰骨６、６のすぐ上に係止部２がくるため、アンダーパンツ部３が下に引っ張られてずれそうになっても突出している腰骨６、６に係止部２が引っ掛かり、着用時のずれを防止することができる。
また、係止部２が通常のパンツの上端に形成されている伸縮部より広幅に形成されており、また、アンダーパンツ部３より高い（大きな）伸縮性を有していること、係止部２の伸縮性は上下方向（縦方向）に高い伸縮性をもたせつつ、これを直交する横方向の伸縮性を抑えてあるため、前かがみになったりスポーツなどの激しい運動をした場合においても、係止部２が上下方向（縦方向）の伸びがアンダーパンツ部３を下に引っ張る力を十分吸収するとともに、着用者の腰周りにしっかりと密着する。
【００２０】
【考案の効果】
請求項１に記載の考案によれば、上下方向に比べて横方向への伸縮性が抑えたれた係止部が着用者の腰骨より上方で腰周りを締め付けることになり、しかも、例えば、前かがみになったり、スポーツなどの激しい運動をすることにより、係止部の下方に位置するアンダーパンツ部がたとえ下方向に引っ張られたとしても、上下方向に高い伸縮性を有する係止部が着用者の腰骨より上方で上下方向に伸びるとともに、腰骨に引っ掛かるために着用時のずれを防止することができる。特に、係止部が上下方向に高い伸縮性を有するため、前かがみになったり、スポーツなどの激しい運動を行なっても、上下方向の伸びがアンダーパンツ部を下に引っ張る力を吸収するスプリング効果によって、着用時のずれを防止することができる。
【００２１】
請求項２に記載の考案によれば、このようにしておくと、係止部が着用者の腰骨より上方で腰周りをより強く締め付けることになるから、着用時のずれを一層防止することができる。
【００２２】
請求項３に記載の考案によれば、通常編組部が着用時の腰骨より上方で腰周りを適度の力で締め付けるとともに、縦伸縮部が着用時の腰骨より上方で上下方向に適度に伸びるため、着用時のずれをより一層防止することができる。
【００２３】
請求項４に記載の考案によれば、縦伸縮部に、ポリウレタンを芯として、その周囲を綿素材によりカバーリングした原糸が用いられているために、係止部が一層伸縮性や弾性に富むこととなり、アンダーパンツ部よりも伸縮性や弾性がより強くなる。
また、穴部を有することで、穴部が特に上下方向への高い伸縮を可能にするから、前かがみになったり、スポーツなどの激しい運動をした場合においても、縦伸縮部のこの伸びがアンダーパンツ部を下に引っ張る力を十分吸収し、着用時のずれを一層防止することができる。
【図面の簡単な説明】
【図１】本考案によるずれ防止機能を有するパンツの一例を示す全体斜視図である。
【図２】図２は、その一部の拡大正面図である。
【図３】図３は、着用状態を示す斜視図である。
【図４】図４は、縦伸縮部の編み方の一例を示す正面図である。
【符号の説明】
１…パンツ
２…係止部
３…アンダーパンツ部
４…縫着線
５…着用者
６…腰骨
７…臍部
８…原糸
９…穴部
１０…裾部
１１…縦伸縮部
１２…通常編組部
【図１】
0003097770.tif 000003
【図２】
0003097770.tif 000004
【図３】
0003097770.tif 000005
【図４】
0003097770.tif 000006